【手続補正書】
【提出日】平成28年4月4日(2016.4.4)
【手続補正１】
【補正対象書類名】明細書
【補正対象項目名】０００８
【補正方法】変更
【補正の内容】
【０００８】
また特許文献２に記載された撮像レンズは、第１レンズから第３レンズまでの３枚のレンズが全て正レンズとされているため、広角化が困難であるという問題が認められる。
【手続補正２】
【補正対象書類名】明細書
【補正対象項目名】００４７
【補正方法】変更
【補正の内容】
【００４７】
なお、条件式(13)が数値範囲を規定している条件については、例えば、下記条件式(13-1)、(13-2)、(13-3)
−１．８＜ｆ1／ｆ2＜−０．２ ……(13-1)
−１．５＜ｆ1／ｆ2＜−０．２５ ……(13-2)
−１．０＜ｆ1／ｆ2＜−０．２５……(13-3)
が満足されていることが望ましい。
【手続補正３】
【補正対象書類名】明細書
【補正対象項目名】０１７４
【補正方法】変更
【補正の内容】
【０１７４】
なお、条件式(8)を満足することによる上記効果を一層高めるためには、条件式(8)が規定している条件の上限を１０．０とすることがより好ましく、９．０とすることがさらに好ましく、８．０とすることがさらに好ましい。条件式(8)を満足することによる下記効果を一層高めるためには、条件式(8)が規定している条件の下限を３．０とすることがより好ましく、４．０とすることがさらに好ましく、５．０とすることがさらに好ましい。すなわち上記効果は、例えば、下記条件式(8-1)、(8-2)、あるいは(8-3)
３＜FA／ｆ＜１０．０ ……(8-1)
４＜FA／ｆ＜９．０ ……(8-2)
５＜FA／ｆ＜８．０ ……(8-3)
が満足されれば、より高いものとなる。
【手続補正４】
【補正対象書類名】明細書
【補正対象項目名】０１８９
【補正方法】変更
【補正の内容】
【０１８９】
条件式(13)を満足することによる上記効果を一層高めるためには、条件式(13)が規定している条件の上限を−０．２とすることがより好ましく、−０．２５とすることがさらに好ましい。また上述の効果を一層高めるためには、条件式(13)が規定している条件の下限を−１．８とすることがより好ましく、−１．５とすることがさらに好ましく、−１．０とすることがさらに好ましい。すなわち上記効果は、例えば、下記条件式(13-1)、(13-2)、あるいは(13-3)
−１．８＜ｆ1／ｆ2＜−０．２ ……(13-1)
−１．５＜ｆ1／ｆ2＜−０．２５ ……(13-2)
−１．０＜ｆ1／ｆ2＜−０．２５ ……(13-3)
が満足されれば、より高いものとなる。
【手続補正５】
【補正対象書類名】明細書
【補正対象項目名】０２０６
【補正方法】変更
【補正の内容】
【０２０６】
第１レンズ群Ｇ１と第２レンズ群Ｇ２との間には、開口絞りＳｔが設けられている。ただし、図２に示す開口絞りＳｔは必ずしも大きさや形状を表すものではなく、光軸Ｚ上の位置を示すものである。また図２では、第２レンズ群Ｇ２と像面Ｓｉｍの間に、各種フィルタやカバーガラス等を想定した平行平板状の光学部材ＰＰを配置した例を示している。
【手続補正６】
【補正対象書類名】明細書
【補正対象項目名】０２１７
【補正方法】変更
【補正の内容】
【０２１７】
そして第４レンズＬ１４は、像側に凸面を向けたメニスカスレンズとされている。この点からも、球面収差や非点収差の補正が容易となる。
【手続補正７】
【補正対象書類名】明細書
【補正対象項目名】０２４６
【補正方法】変更
【補正の内容】
【０２４６】
ここで表１に、実施例１の撮像レンズの基本レンズデータを示す。表のＳｉの欄は最も物体側の構成要素の物体側の面を１番目として、像側に向かうに従って順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。また、Ｎｄｊの欄は最も物体側の構成要素を１番目として像側に向かうに従って順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。またθg,Fｊの欄はｊ番目の光学要素のｇ線（波長４３５．８ｎｍ）とＦ線(波長４８６．１ｎｍ)に関する部分分散比を示し、その右側の欄に材料名を併記してある。
【手続補正８】
【補正対象書類名】明細書
【補正対象項目名】０２４９
【補正方法】変更
【補正の内容】
【０２４９】
以上説明した表１の記載の仕方は、後述する表３、表５、表７、表９、表１１、および表１３においても同様である。また表２の記載の仕方は、後述する表４、表６、表８、表１０、表１２、および表１４においても同様である。
【表１】
2015118212.tif 000001
【表２】
2015118212.tif 000002
【手続補正９】
【補正対象書類名】明細書
【補正対象項目名】０２７１
【補正方法】変更
【補正の内容】
【０２７１】
第２レンズ群Ｇ２の最も物体側から４枚目のレンズである負レンズＬ２４のアッベ数νｄ13は２３．７８である。この値は、先に述べた第２レンズ群の最も物体側から４枚目のレンズに関する好適な数値条件つまり３０以下、より好ましくは２９以下、さらに好ましくは２８以下という条件を満足している。第２レンズ群Ｇ２の最も物体側から４枚目のレンズのアッベ数が３０以下であれば、軸上の色収差、および倍率の色収差の補正が容易となり、２９以下、２８以下であればその効果がこの順に従ってより顕著なものとなる。
【手続補正１０】
【補正対象書類名】明細書
【補正対象項目名】０２８４
【補正方法】変更
【補正の内容】
【０２８４】
第１レンズ群Ｇ１と第２レンズ群Ｇ２との間には、開口絞りＳｔが設けられている。この図３でも、第２レンズ群Ｇ２と像面Ｓｉｍの間に平行平板状の光学部材ＰＰを配置した例を示している。
【手続補正１１】
【補正対象書類名】明細書
【補正対象項目名】０２９８
【補正方法】変更
【補正の内容】
【０２９８】
表３に、実施例２の撮像レンズの基本レンズデータを示す。また表４に、実施例２の撮像レンズのｄ線に関する諸元を示す。
【表３】
2015118212.tif 000003
【表４】
2015118212.tif 000004
【手続補正１２】
【補正対象書類名】明細書
【補正対象項目名】０３１０
【補正方法】変更
【補正の内容】
【０３１０】
表５に、実施例３の撮像レンズの基本レンズデータを示す。また表６に、実施例３の撮像レンズのｄ線に関する諸元を示す。
【表５】
2015118212.tif 000005
【表６】
2015118212.tif 000006
【手続補正１３】
【補正対象書類名】明細書
【補正対象項目名】０３２０
【補正方法】変更
【補正の内容】
【０３２０】
表７に、実施例４の撮像レンズの基本レンズデータを示す。また表８に、実施例４の撮像レンズのｄ線に関する諸元を示す。
【表７】
2015118212.tif 000007
【表８】
2015118212.tif 000008
【手続補正１４】
【補正対象書類名】明細書
【補正対象項目名】０３３１
【補正方法】変更
【補正の内容】
【０３３１】
表９に、実施例５の撮像レンズの基本レンズデータを示す。また表１０に、実施例５の撮像レンズのｄ線に関する諸元を示す。
【表９】
2015118212.tif 000009
【表１０】
2015118212.tif 000010
【手続補正１５】
【補正対象書類名】明細書
【補正対象項目名】０３４２
【補正方法】変更
【補正の内容】
【０３４２】
表１１に、実施例６の撮像レンズの基本レンズデータを示す。また表１２に、実施例６の撮像レンズのｄ線に関する諸元を示す。
【表１１】
2015118212.tif 000011
【表１２】
2015118212.tif 000012
【手続補正１６】
【補正対象書類名】明細書
【補正対象項目名】０３５２
【補正方法】変更
【補正の内容】
【０３５２】
表１３に、実施例７の撮像レンズの基本レンズデータを示す。また表１４に、実施例７の撮像レンズのｄ線に関する諸元を示す。
【表１３】
2015118212.tif 000013
【表１４】
2015118212.tif 000014